(57)【要約】      （修正有）【課題】ハンドルを容易に回すことを可能にする水道栓ハンドルを提供する。【解決手段】水道栓ハンドル１００は、円盤部１１０と、３つの臼歯部１２０とを備えている。円盤部１１０は、円盤形状となっており、円盤部１１０の直径は、三つ又水道栓の三つ又ハンドルの直径よりも大きくなっている。円盤部１１０は、当該円盤部１１０の中心に設けられた開口部１１１と、当該円盤部１１０の中心から放射方向に延在する３つのスリット部１１２とを有している。３つの臼歯部１２０は、スリット部１１２ごとに１つずつ設けられている。３つの臼歯部１２０は、円盤部１１０を矢印方向に回動させたときに、円盤部１１０からの押圧力によってスリット部１１２に摩擦で固定されるように構成されている。【選択図】図４
0003230480.tif 000002
【実用新案登録請求の範囲】
【請求項１】
水道栓の三つ又ハンドルに嵌合可能に構成された嵌合部と、
前記三つ又ハンドルの直径よりも長い直径を有し、前記三つ又ハンドルに対する前記嵌合部の位置を調整可能な態様で前記嵌合部に連結されるハンドル部と
を備えた
水道栓ハンドル。
【請求項２】
前記嵌合部は、ユーザが前記ハンドル部を回動することにより前記嵌合部を介して前記三つ又ハンドルを回動させたときに、前記三つ又ハンドルの三か所の先端部分が力点となり、前記三つ又ハンドルの回転軸が作用点となり、前記作用点からの距離が前記力点と前記作用点との距離よりも長くなる位置が支点となるように構成されている
請求項１に記載の水道栓ハンドル。
【請求項３】
前記ハンドル部は、当該ハンドル部の中心から放射方向に延在する３つのスリット部が設けられた本体部を有し、
前記嵌合部は、前記スリット部ごとに１つずつ設けられた３つの臼歯部を有し、
各前記臼歯部は、前記三つ又ハンドルに接する接触部と、前記接触部に固定されるとともに、対応する前記スリット部に挿通された第１固定部とを有し、
前記第１固定部は、ユーザが前記ハンドル部を回動させたときに、前記ハンドル部からの押圧力によって前記スリット部に摩擦で固定される
請求項１または請求項２に記載の水道栓ハンドル。
【請求項４】
前記ハンドル部は、把持部を更に有し、
前記把持部は、
手で握ることの可能な持手部と、
前記持手部を支持する支持部と、
前記支持部に固定されるとともに前記スリット部ごとに１つずつ設けられた３つの第２固定部と
を有し、
各前記第２固定部は、対応する前記スリット部に挿通され、前記ハンドル部に対して着脱可能に固定される
請求項３に記載の水道栓ハンドル。
【請求項５】
前記ハンドル部は、把持部を更に有し、
前記把持部は、ユーザが手のひらで押しながら手のひらを回転させることにより、前記嵌合部を介して前記三つ又ハンドルを回動させることの可能な構成となっている
請求項１ないし請求項３のいずれか一項に記載の水道栓ハンドル。
【考案の詳細な説明】
【技術分野】
【０００１】  本考案は、水道栓ハンドルに関する。
【背景技術】
【０００２】  三つ又ハンドルを備えた水道栓は、比較的多く現存する。その多くは、都会よりも田舎にあり、屋内屋外を問わず設置されている。
【考案の概要】
【考案が解決しようとする課題】
【０００３】  使用頻度の低い場所にある水道栓のハンドルは、固く動かし難い状況になっていることがある。このような現象は、冬季にもよく見られ、高齢者や女性はもとより、男性であっても水道栓のハンドルを回すことが困難なことがある。従って、ハンドルを容易に回すことを可能にする水道栓ハンドルを提供することが望ましい。
【課題を解決するための手段】
【０００４】  本考案の一実施形態に係る水道栓ハンドルは、水道栓の三つ又ハンドルに嵌合可能に構成された嵌合部と、三つ又ハンドルの直径よりも長い直径を有し、三つ又ハンドルに対する嵌合部の位置を調整可能な態様で嵌合部に連結されるハンドル部とを備えている。
【考案の効果】
【０００５】  本考案の一実施形態に係る水道栓ハンドルによれば、水道栓の三つ又ハンドルに嵌合可能に構成された嵌合部を、三つ又ハンドルの直径よりも長い直径を有するハンドル部に連結するようにしたので、三つ又ハンドルを直接、素手で回した場合と比べて、三つ又ハンドルを容易に回すことができる。また、ハンドル部に、三つ又ハンドルに対する嵌合部の位置を調整可能な態様で嵌合部に連結するようにしたので、様々な種類の三つ又ハンドルに対応することができる。
【図面の簡単な説明】
【０００６】
【図１】（Ａ）三つ又ハンドルを備えた水道栓の一例を表す図である。（Ｂ）水道栓に対して、本考案の一実施形態に係る水道栓ハンドルを嵌合させた様子を表す図である。
【図２】（Ａ）図１（Ｂ）の水道栓ハンドルの、上面側からの斜視構成の一例を表す図である。（Ｂ）図１（Ｂ）の水道栓ハンドルの、下面側からの斜視構成の一例を表す図である。
【図３】本考案の一実施形態に係る水道栓ハンドルの上面構成の一例を表す図である。
【図４】図３の水道栓ハンドルの下面構成の一例を表す図である。
【図５】図３の水道栓ハンドルの３つの臼歯部を水道栓の三つ又ハンドルに接触させるときの様子を表す図である。
【図６】図３の水道栓ハンドルを、水道栓の三つ又ハンドルに嵌合させたときの様子を表す図である。
【図７】図３の水道栓ハンドルの、上面側からの斜視構成の一変形例を表す図である。
【図８】図６の水道栓ハンドルの下面構成の一例を表す図である。
【図９】図３の水道栓ハンドルの、上面側からの斜視構成の一変形例を表す図である。
【考案を実施するための形態】
【０００７】  以下、本考案を実施するための形態について、図面を参照して詳細に説明する。
【０００８】［構成］
図１（Ａ）は、三つ又ハンドルを備えた既存の水道栓（以下、「三つ又水道栓２００」と称する。）の一例を表したものである。図１（Ｂ）は、本考案の一実施形態に係る水道栓ハンドル１００を図１（Ａ）の三つ又水道栓２００に嵌合した様子を表したものである。三つ又水道栓２００は、例えば、地表面に設けた水道柱３００の側面に取り付けられている。三つ又水道栓２００の三つ又ハンドルの回転軸と、水道柱３００の側面との距離（以下、「距離Ａ」と称する。）は、規格によって所定の大きさとなっている。水道栓ハンドル１００の直径は、三つ又水道栓２００の三つ又ハンドルの直径よりも大きくなっており、水道栓ハンドル１００の半径は、距離Ａよりも短くなっている。従って、水道栓ハンドル１００を三つ又水道栓２００に嵌合させるときに、水道柱３００が邪魔になることはない。
【０００９】  図２（Ａ）は、水道栓ハンドル１００の、上面側からの斜視構成の一例を表したものである。図２（Ｂ）は、水道栓ハンドル１００の、下面側からの斜視構成の一例を表したものである。図３は、水道栓ハンドル１００の上面構成の一例を表したものである。図４は、水道栓ハンドル１００の下面構成の一例を表したものである。水道栓ハンドル１００は、円盤部１１０と、３つの臼歯部１２０とを備えている。円盤部１１０は、本考案の「本体部」「ハンドル部」の一具体例に相当する。３つの臼歯部１２０からなる部材は、本考案の「嵌合部」の一具体例に相当する。
【００１０】  円盤部１１０は、円盤形状となっており、円盤部１１０の直径は、三つ又水道栓２００の三つ又ハンドルの直径よりも大きくなっており、円盤部１１０の半径は、上述の距離Ａよりも短くなっている。円盤部１１０の代わりに、楕円形状の部材や、多角形状の部材が用いられてもよい。円盤部１１０は、例えば、図３に示したように、当該円盤部１１０の中心に設けられた開口部１１１と、当該円盤部１１０の中心から放射方向（例えば、０°、１２０°、２４０°）に延在する３つのスリット部１１２とを有している。開口部１１１および３つのスリット部１１２は、それぞれ、円盤部１１０を貫通する貫通孔となっている。開口部１１１は、例えば、三つ又水道栓２００における、三つ又ハンドルを回転軸に固定するためのねじの山が円盤部１１０と干渉するのを避けるために設けられている。スリット部１１２は、臼歯部１２０の位置を、円盤部１１０の中心から放射方向において調整するために用いられる。
【００１１】  ３つの臼歯部１２０は、スリット部１１２ごとに１つずつ設けられている。３つの臼歯部１２０は、例えば、図５に示したように、ユーザが３つの臼歯部１２０を矢印方向へ移動させ、三つ又水道栓２００の三つ又ハンドルに接触させた後、例えば、図６に示したように、円盤部１１０を矢印方向に回動させたときに、円盤部１１０からの押圧力によってスリット部１１２に摩擦で固定されるように構成されている。３つの臼歯部１２０は、例えば、図６に示したように、ユーザが円盤部１１０を矢印方向に回動することにより３つの臼歯部１２０を介して三つ又水道栓２００の三つ又ハンドルを回動させるときに、三つ又水道栓２００の三つ又ハンドルの三か所の先端部分が力点Ｐ１となり、三つ又水道栓２００の三つ又ハンドルの回転軸が作用点Ｐ２となり、作用点Ｐ２からの距離Ｄ１が力点Ｐ１と作用点Ｐ２との距離Ｄ２よりも長くなる位置が支点Ｐ３となるように構成されている。
【００１２】  各臼歯部１２０は、例えば、基材部１２１と、接触部１２２と、固定部１２３とを有している。基材部１２１は、接触部１２２および固定部１２３を支持するための部材である。接触部１２２は、三つ又水道栓２００の三つ又ハンドルに接する部材であり、例えば、ゴムなどの、三つ又水道栓２００の三つ又ハンドルとの密着性に優れた部材である。固定部１２３は、対応するスリット部１１２に挿通される。固定部１２３は、例えば、図６に示したように、ユーザが円盤部１１０を矢印方向に回動させたときに、円盤部１１０からの押圧力によってスリット部１１２に摩擦で固定される。
【００１３】  水道栓ハンドル１００は、例えば、図７、図８に示したように、把持部１３０を更に備えていてもよい。図７は、水道栓ハンドル１００の、上面側からの斜視構成の一変形例を表したものである。図８は、図７の水道栓ハンドル１００の下面構成の一例を表したものである。把持部１３０は、例えば、ユーザが直接手で掴み、回すための持手部１３１と、持手部１３２を支持する支持部１３２と、支持部１３２に固定されるとともにスリット部１１２ごとに１つずつ設けられた３つの固定部１３３とを有している。各固定部１３３は、対応するスリット部１１２に挿通され、円盤部１１０に対して着脱可能に固定される。各固定部１３３は、例えば、図７、図８に示したように、対応するスリット１１２において、固定部１２３と比べて、円盤部１１０の中心寄りの位置に固定される。このように、把持部１３０が設けられている場合には、ユーザは把持部１３０を直接手で掴み、回すことにより、三つ又水道栓２００の三つ又ハンドルを回す。なお、把持部１３０が設けられていない場合には、ユーザは円盤部１１０を直接手で掴み、回すことにより、三つ又水道栓２００の三つ又ハンドルを回す。
【００１４】  水道栓ハンドル１００は、例えば、図９に示したように、把持部１４０を更に備えていてもよい。図９は、水道栓ハンドル１００の、上面側からの斜視構成の一変形例を表したものである。把持部１４０は、手のひらで押しながら手のひらを回転させることにより、３つの臼歯部１２０を介して水道栓２００の三つ又ハンドルを回動させることの可能な構成となっている。把持部１４０は、例えば、半球状の樹脂部材（例えば柔らかいウレタンなど）で形成されており、円盤部１１０の上面に着脱可能に連結されている。
【００１５】［効果］
三つ又ハンドルを備えた水道栓は、比較的多く現存する。その多くは、都会よりも田舎にあり、屋内屋外を問わず設置されている。使用頻度の低い場所にある水道栓のハンドルは、固く動かし難い状況になっていることがある。このような現象は、冬季にもよく見られ、高齢者や女性はもとより、男性であっても水道栓のハンドルを回すことが困難なことがある。
【００１６】  一方、本実施の形態では、水道栓２００の三つ又ハンドルに嵌合可能に構成された３つの臼歯部１２０が、水道栓２００の三つ又ハンドルの直径よりも長い直径を有する円盤部１１０に連結されている。これにより、水道栓２００の三つ又ハンドルを直接、素手で回した場合と比べて、水道栓２００の三つ又ハンドルを容易に回すことができる。また、本実施の形態では、円盤部１１０が、水道栓２００の三つ又ハンドルに対する３つの臼歯部１２０の位置を調整可能な態様で３つの臼歯部１２０に連結されている。これにより、各臼歯部１２０の位置調整を行うことにより、様々な種類の三つ又ハンドルに対応することができる。
【００１７】  また、本実施の形態では、３つの臼歯部１２０が、ユーザが円盤部１１０を矢印方向に回動することにより３つの臼歯部１２０を介して三つ又水道栓２００の三つ又ハンドルを回動させるときに、三つ又水道栓２００の三つ又ハンドルの三か所の先端部分が力点Ｐ１となり、三つ又水道栓２００の三つ又ハンドルの回転軸が作用点Ｐ２となり、作用点Ｐ２からの距離Ｄ１が力点Ｐ１と作用点Ｐ２との距離Ｄ２よりも長くなる位置が支点Ｐ３となるように構成されている。これにより、水道栓２００の三つ又ハンドルを直接、素手で回した場合と比べて、水道栓２００の三つ又ハンドルを容易に回すことができる。
【００１８】  また、本実施の形態では、円盤部１１０には３つのスリット部１１２が設けられ、スリット部１１２ごとに設けられた各臼歯部１２０には、三つ又水道栓２００の三つ又ハンドルに接する接触部１２２と、接触部１２２に固定されるとともに、対応するスリット部１１２に挿通された固定部１２３とが設けられている。固定部１２３は、ユーザが円盤部１１０を回動させたときに、円盤部１１０からの押圧力によってスリット部１１２に摩擦で固定される。これにより、各臼歯部１２０の位置調整を行うことにより、様々な種類の三つ又ハンドルに対応することができる。
【００１９】  また、本実施の形態において、ユーザが直接手で掴むための把持部１３０が円盤部１１０に、連結されている場合には、水道栓ハンドル１００をより容易に掴み、回すことができる。これにより、水道栓２００の三つ又ハンドルを直接、素手で回した場合と比べて、水道栓２００の三つ又ハンドルをより一層容易に回すことができる。
【００２０】  また、本実施の形態において、ユーザが手のひらで押しながら手のひらを回転させることにより、水道栓２００の三つ又ハンドルを回動させることの可能な把持部１４０が円盤部１１０に連結されている場合には、手指に力が入り難い年配の人でも、水道栓ハンドル１００をより容易に回すことができる。
【符号の説明】
【００２１】  １００…水道蛇口用ハンドル、１１０…円盤部、１１１…開口部、１１２…スリット部、１２０…臼歯部、１２１…基材部、１２２…摩擦部、１２３…固定部、１３０…把持部、１３１…持手部、１３２…支持部、１３３…固定部、１４０…把持部、２００…三つ又水道栓、３００…水道柱。
【図１】
0003230480.tif 000003
【図２】
0003230480.tif 000004
【図３】
0003230480.tif 000005
【図４】
0003230480.tif 000006
【図５】
0003230480.tif 000007
【図６】
0003230480.tif 000008
【図７】
0003230480.tif 000009
【図８】
0003230480.tif 000010
【図９】
0003230480.tif 000011